(57)【要約】【課題】灯芯型気化器とインジェクション型気化器とを備えた麻酔システムにおいて、一の気化器が使用中の場合に、確実に他の気化器の作動を停止することができる麻酔システムを提供する。【解決手段】ダイヤル１１の回転と連動して進退するピン１３、１４とを有する灯芯型気化器１０と、インジェクション型気化器２０とを備えた麻酔システムにおいて、灯芯型気化器１０のピン１３の前進を検出するセンサ２１と、灯芯型気化器１０のピン１４の前進を阻止する移動阻止手段２２と、センサ２１がピン１３の移動を検出した際にインジェクション型気化器２０の作動を阻止し、インジェクション型気化器２０が作動した際には移動阻止手段２２にピン１３の移動を阻止させる制御部２８とを設ける。【選択図】図２
2009072314.tif 000002
【特許請求の範囲】
【請求項１】
麻酔薬濃度調整を行うダイヤルと、前記ダイヤルの回転と連動して進退するピンとを有する灯芯型気化器と、
麻酔薬濃度の設定値に応じた液量の麻酔薬を添加することにより麻酔薬濃度調整を行うインジェクション型気化器とを備えた麻酔システムであって、
灯芯型気化器とインジェクション型気化器とが同時に作動するのを防止する安全装置を備え、
前記灯芯型気化器の前記ピンの前進を検出するセンサと、
前記灯芯型気化器の前記ピンの前進を阻止する移動阻止手段と、
前記センサが前記ピンの移動を検出した際に前記インジェクション型気化器の作動を阻止し、前記インジェクション型気化器が作動した際には前記移動阻止手段に前記ピンの移動を阻止させる制御部とを、備えたことを特徴とする麻酔システム。
【請求項２】
請求項１に記載の麻酔システムであって、
前記ピンは、前記センサにより検出される一方のピンと、前記移動阻止手段により前進が阻止される他方のピンとからなる一対のピンからなることを特徴とする麻酔システム。
【請求項３】
請求項１または２に記載の麻酔システムであって、
前記灯芯型気化器と前記インジェクション型気化器とは、ガス流路に互いに並列に接続されるとともに、これら気化器の上流のガス流路にはいずれか一方の気化器のみへ新鮮ガスを送る切換弁が設けられおり、該切換弁は使用される一の気化器に対してのみ新鮮ガスを送るように制御されていることを特徴とする麻酔システム。
【請求項４】
請求項３に記載の麻酔システムであって、
前記切換弁は、新鮮ガスを前記灯芯型気化器に送る側がノーマル位置であることを特徴とする麻酔システム。
【請求項５】
請求項１から４のいずれか一項に記載の麻酔システムであって、
前記移動阻止手段は、
駆動ガスの供給によりロッドを前進させて前記他方のピンの移動を阻止するシリンダと、
前記インジェクション型気化器が作動した際に、前記シリンダを駆動ガスを供給して前進させる制御弁と、からなることを特徴とする麻酔システム。
【発明の詳細な説明】
【技術分野】
【０００１】
この発明は、複数の気化器を配置した麻酔装置において、これらの複数の気化器の同時使用を防止するための安全装置を備えた麻酔システムに関する。
【背景技術】
【０００２】
主に手術室において患者に麻酔をかけるために用いられる麻酔システムには、充填された麻酔薬の気化と、麻酔ガスにおける麻酔薬濃度調整とを行うための気化器が組み込まれている。このような気化器としては灯芯型気化器及びインジェクション型気化器が一般に用いられており、これらは流入口から新鮮ガスを取り込み、麻酔薬を気化して該新鮮ガスに添加させて、麻酔ガスとして呼吸回路へと送る働きをしている。
【０００３】
灯芯型気化器においては、流入口において取り込んだ新鮮ガスは、麻酔薬で新鮮ガスを飽和するための気化室を通過するキャリアガスと、この気化室を通らないバイパスガスに分離される。そして、キャリアガスとバイパスガスとは流出口で再び混合されて一体となり、この混合割合を調節することによって麻酔薬濃度が調整されて、麻酔ガスとして呼吸回路へ送られる。
【０００４】
一方、インジェクション型気化器はその動作が電気的に制御されており、流入口において取り込まれた新鮮ガスには、麻酔薬濃度設定値に応じた液量の麻酔薬が添加され、これによって麻酔薬濃度が調整される。そして、この麻酔薬が気化されて、新鮮ガスと混合されて一体となり、呼吸回路へ送られる。
【０００５】
ところで、麻酔薬はその種類によって患者に及ぼす作用が異なるため、医師は患者の状態に応じて最善となる麻酔薬を選択して投与することになる。従って、麻酔システムには、種類の異なる麻酔薬が充填された複数の気化器が搭載されているものがあり、これにより気化器の取り外しを行うことなく、麻酔薬の種類の変更を行うことが可能とされている。
【０００６】
しかし、複数備えた気化器のうち一つの気化器が作動して患者に麻酔ガスを供給している際には、他の気化器が作動して麻酔ガスの混合が生じるようなことがあってはならない。そこで、一般に気化器を複数備えた麻酔システムにおいては、一の気化器が使用されている場合には、他の気化器を使用できないようにする安全装置が備えられている。
【０００７】
特許文献１には、灯芯型気化器を複数備えるとともに安全装置を備えた麻酔システムが開示されている。図４にこの麻酔システムの模式図を示す。図４（ａ）に示すように、２つの灯芯型気化器１ａ、１ｂは、それぞれダイヤル２ａ、２ｂによって麻酔薬濃度調整が行われ、該ダイヤル２ａ、２ｂを回転させると、ダイヤル２ａ、２ｂの上部に設けられた直動カム３ａ、３ｂが連動し、ダイヤル２ａ、２ｂの上側に向かって直線的に動作するようになっている。
【０００８】
また、直動カム３ａ、３ｂの上端部には、図４の左右方向を長手方向として配置され、ダイヤル２ａ、２ｂがオフの状態で当接するそれぞれ一対のピン４ａとピン５ａ、ピン４ｂとピン５ｂが設けられており、直動カム３ａ、３ｂの上側への動作に連動して、該一対のピン４ａとピン５ａ、ピン４ｂとピン５ｂがそれぞれ左右方向に移動して離間するようになっている。
【０００９】
これら２つの灯芯型気化器１ａ、１ｂはそれぞれのピン４ａ、４ｂ、５ａ、５ｂの長手方向が同軸上になるように並設されており、図４（ｂ）に示すように、一方の気化器１ａのダイヤル２ａがオン側に回転されると、直動カム３ａが上側に移動し、これに連動してピン４ａ、５ａが左右方向に移動し、他方の灯芯型気化器１ｂ側のピン５ａが、他方の気化器１ｂのピン４ｂに当接して、このピン４ｂの移動が阻止されるようになっている。
【００１０】
ピン４ｂの移動が阻止された他方の灯芯型気化器１ｂは、ダイヤル２ｂをオンとしようとしても、ピン４ｂの移動が阻止されているために直動カム３ｂが移動することができず、該直動カム３ｂと連動するダイヤル２ｂを回すことができないため、ダイヤル２ｂをオンとすることはできない。これによって一方の灯芯型気化器１ａが作動しているときは、他方の灯芯型気化器１ｂが作動することはないため、安全性を確保することができるようになっている。
【特許文献１】特開平８−２８１００１号公報
【発明の開示】
【発明が解決しようとする課題】
【００１１】
ところで、麻酔システムに搭載されている複数の気化器の種類が灯芯型気化器のみの場合は、上述のように、一の灯芯型気化器のダイヤルと、他の灯芯型気化器のダイヤルとを機械的に互いにロックすることができるが、灯芯型気化器とインジェクション型気化器との両方が搭載された麻酔システムにおいては、これら２種類の気化器はその構造が異なるため、上記構成の安全装置を適用することはできない。
【００１２】
即ち、灯芯型気化器はダイヤルを回すといった機械的手法によって作動するのに対して、インジェクション型気化器は電気的な制御を行うことによって作動するため、上述のような麻酔システムでは、一方が使用されている際に他方の使用をロックすることができないという問題があった。
【００１３】
この発明は、このような事情に鑑みて、灯芯型気化器とインジェクション型気化器とを備えた麻酔システムにおいて、一の気化器が使用中の場合に、確実に他の気化器の作動を停止する安全装置を備えた麻酔システムを提供することを目的とする。  
【課題を解決するための手段】
【００１４】
前記課題を解決するため、この発明は以下の手段を提案している。
即ち、本発明に係る麻酔システムは、麻酔薬濃度調整を行うダイヤルと、前記ダイヤルの回転と連動して進退するピンとを有する灯芯型気化器と、麻酔薬濃度の設定値に応じた液量の麻酔薬を添加することにより麻酔薬濃度調整を行うインジェクション型気化器とを備えた麻酔システムであって、灯芯型気化器とインジェクション型気化器とが同時に作動するのを防止する安全装置を備え、前記灯芯型気化器の前記ピンの前進を検出するセンサと、前記灯芯型気化器の前記ピンの前進を阻止する移動阻止手段と、前記センサが前記ピンの移動を検出した際に前記インジェクション型気化器の作動を阻止し、前記インジェクション型気化器が作動した際には前記移動阻止手段に前記ピンの移動を阻止させる制御部とを、備えたことを特徴としている。
【００１５】
二つの気化器を使用していない状態において、灯芯型気化器を使用するためにダイヤルをオン側に回転させると、それに連動してピンが前進し、これがセンサによって検出される。すると、該センサが制御部に検出信号を送出し、これに基づいて制御部はインジェクション型気化器が作動しないように制御する。これによって灯芯型気化器が使用されている際にはインジェクション型気化器を作動しないようにする。
【００１６】
また、この状態で灯芯型気化器のダイヤルをオフ側に回転させると、ピンが後退して元の状態に戻り、センサは検出信号を送出しなくなるため、制御部はインジェクション型気化器を停止する制御をしなくなり、これによってインジェクション型気化器を使用することができるようになる。
【００１７】
一方、インジェクション型気化器が使用された際には、該インジェクション型気化器が制御部に信号を送出し、制御部はこの信号に基づいて移動阻止手段に対して灯芯型気化器のピンの前進を阻止させる信号を送信する。この灯芯型気化器においては、ダイヤルをオン側に回転させることとピンの移動とは連動しているため、ピンの移動が阻止されることによってダイヤルをオン側に回転させることができなくなり、灯芯型気化器の作動がロックされる。従って、インジェクション型気化器が使用されている際には灯芯型気化器が作動することはない。
【００１８】
また、この状態でインジェクション型気化器の使用を停止すれば、制御部はインジェクション型気化器から信号を受けなくなるため、移動阻止手段に対しての信号の送出も停止される。従って、ピンが移動可能とされて、灯芯型気化器のダイヤルをオン側に回転することができるようになるため、灯芯型気化器を作動させることが可能となる。
【００１９】
また、本発明に係る麻酔システムは、前記ピンは、前記センサにより検出される一方のピンと、前記移動阻止手段により前進が阻止される他方のピンとからなる一対のピンからなることを特徴としている。
【００２０】
これら一対のピンは、ともにダイヤルの回転と連動しているため、該一対のピンの進退は互いに連動している。そして、一方のピンをセンサの検出対象とし、他方のピンを移動阻止手段の阻止対象とすることによって、一つのピンが検出対象と阻止対象の両方を担う場合に比べて、センサと阻止手段とをスペースに余裕を持たせて配置することができるようになり、設計の幅を広げることができる。
【００２１】
また、本発明に係る麻酔システムは、前記灯芯型気化器と前記インジェクション型気化器とは、ガス流路に互いに並列に接続されるとともに、これら気化器の上流のガス流路にはいずれか一方の気化器のみへ新鮮ガスを送る切換弁が設けられおり、該切換弁は使用される一の気化器に対してのみ新鮮ガスを送るように制御されていることを特徴としている。
【００２２】
これにより、万一、故障等により複数の気化器が同時に使用される事態に陥っても、切換弁の働きによって、並列に配置された複数の気化器のうち一の気化器のみに新鮮ガスが供給されるため、複数の気化器から麻酔ガスが生成されることはない。従って、複数の種類の麻酔ガスが混合して呼吸回路に送られることはないため、安全性を確保することができる。
【００２３】
また、本発明に係る麻酔システムにおいては、前記切換弁は、新鮮ガスを前記灯芯型気化器に送る位置がノーマル位置であることが望ましい。これにより、電気的不具合が生じて、インジェクション型気化器の作動を停止することができなくなった場合でも、灯芯型気化器にのみ新鮮ガスが供給されるため、安全性をより高めることができる。
【００２４】
さらに、本発明に係る麻酔システムにおいて、前記移動阻止手段は、駆動ガスの供給によりロッドを前進させて前記他方のピンの移動を阻止するシリンダと、前記インジェクション型気化器が作動した際に、前記シリンダを駆動ガスを供給して前進させる制御弁と、からなるものであってもよい。
【００２５】
インジェクション型気化器が使用された際には、制御弁がシリンダに駆動ガスを供給し、これによってロッドが前進することで灯芯型気化器のピンの移動を阻止する構成とされている。従って、確実にピンの移動を阻止し、灯芯型気化器のダイヤルをロックすることができ、灯芯型気化器の誤作動を防止することが可能となる
【発明の効果】
【００２６】
本発明に係る麻酔システムによれば、灯芯型気化器とインジェクション型気化器との二つの種類の気化器を備えた麻酔システムにおいて、一の気化器が使用中の場合には、他の気化器の作動を確実にロックすることができ、麻酔ガスが混合するのを防いで安全な麻酔処理を施すことが可能となる。
【発明を実施するための最良の形態】
【００２７】
以下、本発明に係る麻酔システムの実施形態について、図１から図３を用いて説明する。図１は、本実施形態に係る麻酔システムの概略構成図、図２は本実施形態に係る麻酔システムにおいて灯芯型気化器が使用されている際の作用説明図、図３は本実施形態に係る麻酔システムにおいてインジェクション型気化器が使用されている際の機構説明図である。
【００２８】
本実施形態の麻酔システムは、灯芯型気化器１０とインジェクション型気化器２０と、センサ２１と、移動阻止手段２２と、制御部２８とを備え、灯芯型気化器１０とインジェクション型気化器２０とは、それぞれ１つずつ設けられており、気化器１０、２０はガス流路３０において互いに並列となるように配置され、該ガス流路３０の両気化器１０、２０の上流側には切換弁３５が設けられている。
【００２９】
灯芯型気化器１０及びインジェクション型気化器２０は、それぞれ新鮮ガスを取り込みこの新鮮ガスに気化させた麻酔薬を添加して麻酔ガスを生成するとともに、該麻酔ガスの濃度調整を行う役割を有している。
【００３０】
灯芯型気化器１０は、麻酔薬でキャリアガスを飽和するための該麻酔薬が充填された気化室を有し、キャリアガスとバイパスガスに分離し、キャリアガスは気化室を通過させ、バイパスガスは気化室を通過させることなく、流出口１０ｂで再び混合させて麻酔ガスとしてガス流出口３２ｂから送り出すようになっている。この灯芯型気化器１０では、キャリアガスとバイパスガスの混合比を調整することによって麻酔ガスの濃度が調整可能とされている。
【００３１】
インジェクション型気化器２０は、その動作が電気的に制御されており、流入口２０ａにおいて取り込まれた新鮮ガスは、麻酔薬濃度設定値に応じた液量の麻酔薬が添加され、この麻酔薬が気化されて新鮮ガスと混合させられ、これによって麻酔ガスの濃度が調整されるとともに、麻酔ガスとしてガス流出口３２ｃから送り出されるようになっている。なお、このインジェクション型気化器２０は、スイッチが入れられた際に制御部２８に信号を送出するように構成されている。
【００３２】
これら灯芯型気化器１０及びインジェクション型気化器２０は、新鮮ガス及び麻酔ガスの流路であるガス流路３０に互いに並列になるように配置されている。
具体的には、ガス流路３０の上流は、新鮮ガスが供給される新鮮ガス流路３１ａが２つの新鮮ガス流路３１ｂ、３１ｃに分岐され、この新鮮ガス流路３１ｂ、３１ｃがそれぞれ灯芯型気化器１０のガス流入口１０ａ及びインジェクション型気化器２０のガス流入口２０ａに接続されている。そして、２つの気化器１０、２０のガス流出口１０ｂ、２０ｂは、麻酔ガス流路３２ｂ、３２ｃに接続されており、これら２つの麻酔ガス流路３２ｂ、３２ｃはガス流路３０の下流側にて合流して麻酔ガス流路３２ａを形成している。そしてこの麻酔ガス流路３２ａを介して麻酔ガスが呼吸回路に送られる。
【００３３】
さらに、ガス流路３０の新鮮ガス流路３１の分岐箇所には、新鮮ガス流路３１ａを通過してきた新鮮ガスが、２つの新鮮ガス流路３１ｂ、３１ｃのいずれか一方にのみ通過するように新鮮ガス流路３１を接続する切換弁３５が設けられている。該切換弁３５は新鮮ガス流路３１ａと新鮮ガス流路３１ｂとが接続される側、即ち新鮮ガスが灯芯型気化器１０にのみ送られる側がノーマル位置となるように構成されている。
【００３４】
また切換弁３５は、灯芯型気化器１０が作動した際にはノーマル位置を保持するように、インジェクション型気化器２０が作動した際には該インジェクション型気化器２０に新鮮ガスを送る側に切り換わるように、制御部２８によって制御されている。
【００３５】
また、灯芯型気化器１０には、ダイヤル１１が備えられており、このダイヤル１１によって灯芯型気化器１０のオン、オフをすることができるとともに、ダイヤル１１を所望の麻酔薬濃度に対応する位置まで回転させることによって麻酔薬濃度調整が行えるようにされている。本実施形態では、ダイヤルが０に設定されている場合は灯芯型気化器１０はオフ状態となり、ダイヤルが０以外に設定された際にオン状態になるように構成されている。
【００３６】
このダイヤル１１の上部には、ダイヤル１１の回転と連動して直線的に図１の上下方向に進退する直動カム１２が取り付けられている。該直動カム１２は上下方向を長手方向とした棒状の形状をしており、その先端部（図１の上側）は側面１２ｂが先端に向かって縮径するテーパ状の傾斜面１２ａに形成されている。この直動カム１２はダイヤル１１がオフ状態、すなわちダイヤルが０に設定されているときは後退した状態となっており、ダイヤル１１がオン側に回転、即ちダイヤルが０以外に設定されると、このダイヤル１１の上側に向かって前進するようになっている。
【００３７】
そして、直動カム１２の先端側には、該直動カム１２に垂直な方向を長手方向とした一対の棒状のピン１３、１４が配設され、ダイヤル１１がオフ状態となっている状態で直動カム１２の先端部の前方において、ピン１３とピン１４との先端が当接するようになっている。これらのピン１３、１４の互いに当接している側の端面は、当接面１３ａ、１４ａとされ、ピン１３、１４の側面１３ｂ、１４ｂは該当接面１３ａ、１４ａに向かって縮径するテーパ状の傾斜面１３ｃ、１４ｃに形成されている。
【００３８】
これらピン１３、１４は、直動カム１２の前進によってピン１３、１４の長手方向に当接点から離間する側に移動可能とされるとともに、ピン１３、１４は、図示しない例えばスプリング等の付勢手段によって当接点に向かって付勢されている。
【００３９】
また、本実施形態において、一方のピン１３の移動方向の延長線上には、該一方のピン１３が当接点から離間したのを検出するセンサ２１が設けられている。本実施形態ではセンサ２１は、対象物が接近することによって対象物を検出するマイクロセンサであり、ピン１３が前進した際に該ピンの先端面１３ｄ（ピン１３の図１における右側の端部）が、マイクロセンサ２１に検出されるように配置されている。なお、このマイクロセンサ２１は、ダイヤルが０以外に設定されることで検出可能となるように設定されている。
【００４０】
移動阻止手段２２は、本実施形態においては、シリンダ２３と、該シリンダ２３からピン１４に向かって前進可能なロッド２４と、シリンダ２３に駆動ガスを供給するための駆動ガス供給源２５と、駆動ガス供給源２５とシリンダ２３の間に設けられロッド２４の進退を制御する制御弁２６とから構成され、灯芯型気化器１０の他方のピン１４の移動を阻止可能とされている。
【００４１】
制御弁２６は、制御部２８からによって制御されており、スプリング２６ａによって付勢されて、灯芯型気化器１０とインジェクション型気化器２０とがともに使用されてない場合には、図１のように駆動ガス供給源２５とシリンダ２３とが接続されていない側がノーマル位置となるように構成されている。そして、この制御弁２６は、灯芯型気化器１０が作動した際にはノーマル位置を保持するように、インジェクション型気化器２０が作動した際には駆動ガス供給源２５とシリンダ２３とを接続する側に切り替わるように、制御部２８によって制御されている。
【００４２】
この制御弁２６は、インジェクション型気化器２０が作動した際には、制御部２８からの信号によって駆動ガス供給源２５とシリンダ２３とを接続するように動作し、これにより駆動ガスがシリンダ２３に送り込まれてシリンダ２３から灯芯型気化器１０のピン１４に向けてロッド２４が前進する。また、灯芯型気化器１０が作動した際には、制御部２８からの信号によってノーマル位置に保持される。
【００４３】
また、制御部２８は、インジェクション型気化器２０から信号を受けた際には、移動阻止手段２２に信号を送出して制御弁２６を動作させ、ロッド２４を前進させて灯芯型気化器１０を作動不可とするとともに、切換弁３５に信号を送出して新鮮ガスがインジェクション型気化器２０に送られる側に切り換える。また、制御部２８は、センサ２１から信号を受けた際には、インジェクション型気化器２０の停止を行う信号を送出するとともに、制御弁２６及び切換弁３５のそれぞれをノーマル位置に保持する信号を送出する構成とされている。
【００４４】
以下、本発明に係る麻酔システムの動作について説明する。
灯芯型気化器１０とインジェクション型気化器２０がともに使用されていない状態において、図２のように灯芯型気化器１０を使用するためにダイヤル１１を回してその設定値を０の状態から０以外に回転させると、ダイヤル１１はオン状態となり、これに伴って直動カム１２が上側に向かって前進する。直動カム１２が前進すると、ピン１３、１４の傾斜面１３ｃ、１４ｃが直動カム１２の傾斜面１２ａに案内されて、ピン１３、１４を図示しない付勢手段の付勢力に反して、両ピン１３、１４の当接点から離間する側へ直線的に移動させる。従って、ダイヤル１１をオン状態にすることに連動してピン１３、１４が移動する。なお、このとき、移動阻止手段２２のシリンダ２３には駆動ガスが供給されておらず、ロッド２４は前進していないため、ピン１４の移動が阻止されることはない。
【００４５】
この２つのピン１３、１４のうち一方のピン１３は、その移動によって先端面１３ｄがセンサ２１の検出面２１ａに接近し、これによってセンサ２１がピン１３の移動を検出して制御部２８に対して検出信号を送出し、この検出信号を受け取った制御部２８は、インジェクション型気化器２０に対してその作動を停止する停止信号を送信する。また、この停止信号と同時に、制御部２８は移動阻止手段２２の制御弁２６と切換弁３５とに対しても信号を送出し、この信号によって、制御弁２６と切換弁３５とがノーマル位置側に、即ち、制御弁２６はシリンダ２３に駆動ガスが供給されない側に、切換弁３５は新鮮ガスを灯芯型気化器１０に送る側に保持される。
【００４６】
一方、この状態で灯芯型気化器１０のダイヤル１１を０に合わせれば、ダイヤル１１はオフ状態となり、直動カム１２は前進した状態から、後退した状態に戻る。これにともなって、ピン１３、１４は、付勢手段によって両ピン１３、１４の当接点に向かって付勢されているため、当接面１３ａ、１４ａが直動カム１２の側面１２ｂに当接した状態から、
ピン１３、１４が接近する側に前進し、ピン１３、１４の当接面１３ａ、１４ａが当接点において互いに接触した状態となる。
【００４７】
従って、センサ２１からピン１３の先端面１３ｄが離れるため、センサ２１は制御部２８に対して信号を送出しなくなり、制御部２８によるインジェクション型気化器２０に対しての停止信号と送出と、移動阻止手段２２の制御弁２６及び切換弁３５に対しての信号の送出とが停止される。これにより、インジェクション型気化器２０の作動停止が解除され、制御弁２６と切換弁３５とのそれぞれのノーマル位置側での保持が解除される。
【００４８】
また、灯芯型気化器１０とインジェクション型気化器２０とがともに使用されていない状態から、図３に示すようにインジェクション型気化器２０を作動した際には、該インジェクション型気化器２０が制御部２８に信号を送出し、制御部２８はこの信号に基づいて移動阻止手段２２に対して灯芯型気化器１０のピン１４の移動を阻止させる信号を送信する。即ち、制御部２８が移動阻止手段２２の制御弁２６に信号を送出し、この信号に基づいて制御弁２６は駆動ガス供給源２５とシリンダ２３とを接続するように動作をする。これによってシリンダ２３に駆動ガスが供給され、ロッド２４がピン１４に向かって前進し、ピン１４に当接することで該ピン１４の移動が阻止される。
【００４９】
灯芯型気化器１０においては、ダイヤル１１をオンとすることとピン１３、１４の移動とは直動カム１２を介して連動しているため、一方のピン１４の移動が阻止されることによってダイヤル１１をオンとすることができなくなる。また、この場合において制御部２８は移動阻止手段２２の制御弁２６への信号の送出と同時に、切換弁３５に対しても信号を送出し、切換弁３５はこの信号によって、新鮮ガス流路３１ａと新鮮ガス流路３１ｃとが接続されて、インジェクション型気化器２０に新鮮ガスが供給される側に切り換えられる。
【００５０】
一方、この状態でインジェクション型気化器２０の使用を停止すれば、制御部２８はインジェクション型気化器２０から信号を受けなくなるため、移動阻止手段２２の制御弁２６に対しての信号の送出が停止され、制御弁２６はスプリングの付勢力によってノーマル位置に戻るため、シリンダ２３への駆動ガスの供給が停止される。よって、ロッド２４が後退して、ピン１４の移動が阻止されなくなり、灯芯型気化器１０のロックが解除される。
【００５１】
従って、灯芯型気化器１０を使用している際には、インジェクション型気化器２０に停止信号を送出することでその作動がロックされ、インジェクション型気化器２０を使用している際には、移動阻止手段２２によって灯芯型気化器１０をオンとすることができないように機械的にロックがかかるため、いずれか一方の気化器を使用している際には、他方の気化器が作動することを確実に防止することができ、麻酔ガスが混合するのを防止して安全な麻酔処理を施すことが可能となる。
【００５２】
また、万一、故障等により両方の気化器１０、２０が同時に作動し得る事態に陥っても、切換弁３５の働きによって新鮮ガスは並列に配置された二つの気化器１０、２０のうち一の気化器のみに供給されるため、複数の気化器から同時に麻酔ガスが生成されることを気化器１０、２０の前段において防止することができる。従って、複数の種類の麻酔ガスが混合して呼吸回路に送られることはないため、安全性を確保することができる。
【００５３】
また、切換弁３５は灯芯型気化器１０に新鮮ガスを供給する位置がノーマル位置であるため、電気的不具合が生じてインジェクション型気化器２０の作動を停止できなくなった場合には、手動により操作される灯芯型気化器１０にのみ新鮮ガスが供給される。そのため、電気的故障に起因して灯芯型気化器２０から呼吸回路への麻酔ガスの供給が抑制されるので、安全性をより高めることができる。
【００５４】
さらに、上述のようにインジェクション型気化器２０が使用された際には該インジェクション型気化器２０から制御部２８に信号が送出され、制御部２８はこれに基づいて制御弁２６に対して信号を送信し、該制御弁２６はこれに応じてシリンダ２３に駆動ガスを供給して、この駆動ガスの供給によってロッド２４が前進することで灯芯型気化器１０のピン１４の移動を阻止する構成とされている。これによって、確実にピン１４に機械的なロックをかけることができるためその移動を完全に阻止することができ、灯芯型気化器１０の誤作動を防止することができる。
【００５５】
また、灯芯型気化器１０のみを使用している際には、インジェクション型気化器２０に停止信号が送出されるのと同時に、制御弁２６と切換弁３５にも信号が送られ、この信号によってこれら制御弁２６及び切換弁３５がノーマル位置側に保持されるため、これらが誤作動することを防ぐことができ、灯芯型気化器１０による麻酔ガスの供給を安定したものとすることができる。
【００５６】
以上から、本実施の形態に係る麻酔システムによれば、灯芯型気化器１０とインジェクション型気化器２０の両方が搭載された麻酔装置において、一方の気化器が使用中の場合には、他方の気化器の作動を確実に停止することができ、麻酔ガスが混合するのを防いで安全な麻酔処理を施すことができるとともに、安定して麻酔ガスの供給をすることが可能となる。
【００５７】
以上、本発明の実施の形態である麻酔システムについて説明したが、本発明はこれに限定されることなく、その発明の技術的思想を逸脱しない範囲で適宜変更可能である。
例えば、本実施形態においては、灯芯型気化器１０及びインジェクション型気化器２０は、それぞれ１つずつの計２つの気化器が設けられているが、灯芯型気化器１０とインジェクション型気化器２０のいずれか又は双方が複数設けられた、例えば、３つ以上の気化器を備えたものであっても適用可能である。
【００５８】
なお、本実施形態では、一対のピン１３、１４の場合について説明したが、ダイヤル１１の回転と連動するピンが１本とされて、そのピンによって灯芯型気化器１０の動作を阻止するとともに、灯芯型気化器１０の作動を検出するようにしてもよい。また、この場合は、直動カム１２をピンとしてもよい。
【００５９】
また、インジェクション型気化器２０のスイッチを入れることにより該インジェクション型気化器２０の作動を検出する場合について説明したが、他の方法によりインジェクション型気化器２０の作動を検出してもよい。さらに、インジェクション型気化器２０の停止を停止信号により行う場合に説明したが、灯芯型気化器１０の作動に基づいて、制御部２８がインジェクション型気化器２０への電力を遮断する構成としてもよい。
【図面の簡単な説明】
【００６０】
【図１】本実施形態に係る麻酔システムの概略構成図である。
【図２】本実施形態に係る麻酔システムにおいて灯芯型気化器が使用されている際の作用説明図である。
【図３】本実施形態に係る麻酔システムにおいてインジェクション型気化器が使用されている際の機構説明図である。
【図４】灯芯型気化器を複数そなえた麻酔装置における麻酔システムの概略構成図である。
【符号の説明】
【００６１】
１０    灯芯型気化器
１１    ダイヤル
１３    ピン
１４    ピン
２０    インジェクション型気化器
２１    センサ
２２    移動阻止手段
２３    シリンダ
２４    ロッド
２６    制御弁
２８    制御部
３０    ガス流路
【図１】
2009072314.tif 000003
【図２】
2009072314.tif 000004
【図３】
2009072314.tif 000005
【図４】
2009072314.tif 000006